(57)【要約】      （修正有）【課題】回路誤接続時において、給電を停止し、安全を保障するＧＦＣＩコンセントの回路誤接続時において用いられるマグネット式反起動装置を提供する。【解決手段】コイル２０、移動棒２１および二つの磁性デバイス２２、２３を含む。コイル２０は、筒部２００を有する。移動棒２１は、筒部２００内で可動するように挿着され、コイル２０の発生する電流の方向により、筒部２００内で移動する。二つの磁性デバイス２２、２３は、移動棒２１を両側の端部にそれぞれ位置し、移動棒２１が移動して来ると吸引する。移動棒２１は、導接部２５１に連接し、導接部２５１と第２の導接部２５２とは相対し、両者が接触しているか否かにより給電判断が行なわれる。誤接続された場合、コイル２０が相反する方向の電流を感知し、移動棒２１をもう一つの磁性デバイス２３側へ移動させ、第１の導接部２５１を第２の導接部２５２から離脱させ、電気を遮断する。【選択図】図６
0003168580.tif 000002
【実用新案登録請求の範囲】
【請求項１】
筒部を有するコイルと、
前記筒部内で可動するように挿着され、前記コイルの発生する電流の方向により、前記筒部内で移動する移動棒と、
前記移動棒の両側の端部にそれぞれ位置し、前記移動棒が移動して来ると吸引する二つの磁性デバイスと、を有し、前記移動棒は導接部に連接し、前記導接部と第２の導接部とは相対し、両者が接触しているか否かにより給電判断が行なわれ、誤接続された場合、前記コイルが相反する方向の電流を感知し、前記移動棒を前記もう一つの磁性デバイス側へ移動させ、前記第１の導接部を前記第２の導接部から離脱させ、電気を遮断することを特徴とするＧＦＣＩコンセントの回路誤接続時において用いられるマグネット式反起動装置。
【請求項２】
前記移動棒は、第１の導接部に嵌合して連接する環状溝を一方の端部に設けていることを特徴とする請求項１に記載のＧＦＣＩコンセントの回路誤接続時において用いられるマグネット式反起動装置。
【請求項３】
リセット棒を下端に連接し、前記リセット棒は嵌合孔を有する位置決め片上に可動するように嵌設され、前記リセット棒の末端がスイッチに接触し、前記スイッチが押されると、前記スイッチは前記コイルに順電流を提供するのを許容し、前記移動棒が前記もう一つの磁性デバイス側へ移動し、吸引されると、前記第１の導接部と前記第２の導接部とが接触するリセットボタンを、さらに備えることを特徴とする請求項１に記載のＧＦＣＩコンセントの回路誤接続時において用いられるマグネット式反起動装置。
【請求項４】
前記リセット棒は、大きめの第１の外径部および小さめの第２の外径部を有し、前記位置決め片は前記第１の導接部に連接し、前記リセットボタンが押されると、前記位置決め片および前記第１の導接部は移動し、前記第２の外径部が前記嵌合孔内に位置し、前記第１の外径部は前記嵌合孔に押させられ、前記セットボタンは元に戻らないことを特徴とする請求項３に記載のＧＦＣＩコンセントの回路誤接続時において用いられるマグネット式反起動装置。
【考案の詳細な説明】
【技術分野】
【０００１】
本考案は、コンセントに関し、特に、ＧＦＣＩコンセントに用いられ、誤接続を探知する回路誤接続反起動装置に関する。
【背景技術】
【０００２】
ＧＦＣＩコンセントは、漏電防止接地コンセントで、家庭内で漏電を防ぐ実用的な電子製品である。保護効果が絶大なため、一部の欧米の国々では取り付けが強制的に行なわれている。例えば、北米では、各家庭はＧＦＣＩコンセントを五つ取り付けることが法律で定められている。取り付けが義務化されているのは、湿度が高く、電気製品が集中する浴室やキッチン、漏電が起きやすい場所などである。米国のＮＥＣでは、ＧＦＣＩコンセントにテストボタンおよびリセットボタンを必ず装着している。テストボタンは、ＧＦＣＩコンセントが正常に稼動しているか否か検査し、リセットボタンは、ＧＦＣＩコンセントの電源を起動させ、電流の安全を確認するのに用いられる。それ以外に、ＧＦＣＩコンセントは、回路誤接続時における反起動装置を備えている。これは、誤接続などの不適切な接続時において、給電を停止し、安全を保障するものである。
【先行技術文献】
【特許文献】
【０００３】
【特許文献１】特開２００５−６３８０号公報
【考案の概要】
【考案が解決しようとする課題】
【０００４】
本考案の目的は、回路誤接続時において、給電を停止し、安全を保障するＧＦＣＩコンセントの回路誤接続時において用いられるマグネット式反起動装置を提供することにある。
【０００５】
上述の目的を達成するため、本考案は、ＧＦＣＩコンセントの回路誤接続時において用いられるマグネット式反起動装置を提供する。本考案のＧＦＣＩコンセントの回路誤接続時において用いられるマグネット式反起動装置は、コイル、移動棒および二つの磁性デバイスを含む。コイルは、筒部を有する。移動棒は、筒部内で可動するように挿着され、コイルの発生する電流の方向により、筒部内で移動する。二つの磁性デバイスは、移動棒を両側の端部にそれぞれ位置し、移動棒が移動して来ると吸引する。移動棒は、導接部に連接し、導接部と第２の導接部とは相対し、両者が接触しているか否かにより給電判断が行なわれ、誤接続された場合、コイルが相反する方向の電流を感知し、移動棒をもう一つの磁性デバイス側へ移動させ、第１の導接部を第２の導接部から離脱させ、電気を遮断する。
本考案は下記の特徴を有する。
（１）筒部を有するコイルと、
前記筒部内で可動するように挿着され、前記コイルの発生する電流の方向により、前記筒部内で移動する移動棒と、
前記移動棒の両側の端部にそれぞれ位置し、前記移動棒が移動して来ると吸引する二つの磁性デバイスと、を有し、前記移動棒は導接部に連接し、前記導接部と第２の導接部とは相対し、両者が接触しているか否かにより給電判断が行なわれ、誤接続された場合、前記コイルが相反する方向の電流を感知し、前記移動棒を前記もう一つの磁性デバイス側へ移動させ、前記第１の導接部を前記第２の導接部から離脱させ、電気を遮断することを特徴とするＧＦＣＩコンセントの回路誤接続時において用いられるマグネット式反起動装置。
（２）前記移動棒は、第１の導接部に嵌合して連接する環状溝を一方の端部に設けていることを特徴とする（１）に記載のＧＦＣＩコンセントの回路誤接続時において用いられるマグネット式反起動装置。
（３）リセット棒を下端に連接し、前記リセット棒は嵌合孔を有する位置決め片上に可動するように嵌設され、前記リセット棒の末端がスイッチに接触し、前記スイッチが押されると、前記スイッチは前記コイルに順電流を提供するのを許容し、前記移動棒が前記もう一つの磁性デバイス側へ移動し、吸引されると、前記第１の導接部と前記第２の導接部とが接触するリセットボタンを、さらに備えることを特徴とする（１）に記載のＧＦＣＩコンセントの回路誤接続時において用いられるマグネット式反起動装置。
（４）前記リセット棒は、大きめの第１の外径部および小さめの第２の外径部を有し、前記位置決め片は前記第１の導接部に連接し、前記リセットボタンが押されると、前記位置決め片および前記第１の導接部は移動し、前記第２の外径部が前記嵌合孔内に位置し、前記第１の外径部は前記嵌合孔に押させられ、前記セットボタンは元に戻らないことを特徴とする（３）に記載のＧＦＣＩコンセントの回路誤接続時において用いられるマグネット式反起動装置。
【考案の効果】
【０００６】
本考案のＧＦＣＩコンセントの回路誤接続時において用いられるマグネット式反起動装置は、誤接続された場合でも、コイルが相反する方向の電流を感知し、移動棒をもう一つの磁性デバイス側へ移動させ、第１の導接部を第２の導接部から離脱させ、電気を遮断することにより、安全を保障することができる。
【図面の簡単な説明】
【０００７】
【図１】本考案の一実施形態によるＧＦＣＩコンセントの内部構造を示す分解斜視図である。
【図２】本考案の一実施形態によるＧＦＣＩコンセントを示す分解斜視図である。
【図３】本考案の一実施形態によるＧＦＣＩコンセントを示す斜視図である。
【図４】移動棒が磁性デバイスに吸引された状態を示す断面図である。
【図５】移動棒がもう一つの磁性デバイスに吸引された状態を示す断面図である。
【図６】第２図の中央部の断面図である。
【図７】第４図の動作状態を示す第１の断面図である。
【図８】第４図の動作状態を示す第２の断面図である。
【図９】第４図の動作状態を示す第３の断面図である。
【考案を実施するための形態】
【０００８】
以下、本考案の実施形態を図面に基づいて説明する。
【０００９】
図１〜３を参照する。図１は、本考案の一実施形態によるＧＦＣＩコンセントの内部構造を示す分解斜視図である。図２は、本考案の一実施形態によるＧＦＣＩコンセントを示す分解斜視図である。図３は、本考案の一実施形態によるＧＦＣＩコンセントを示す斜視図である。図１〜３に示すように、本考案のＧＦＣＩコンセントの回路誤接続反起動装置は、ＧＦＣＩコンセントのカバ１内に設けられている。カバ１は、コンセント上蓋１０、コンセント台座１１からなる。反起動装置２は、コンセント上蓋１０内に配置され、コンセント台座１１によりコンセント上蓋１０が蓋をされるとＧＦＣＩコンセント（図３を参照）になる。反起動装置２は、コイル２０、移動棒２１および磁性デバイス２２、２３を有する。
【００１０】
図１〜５を参照する。図４は、移動棒が磁性デバイスに吸引された状態を示す断面図である。図５は、移動棒がもう一つの磁性デバイスに吸引された状態を示す断面図である。図１〜５に示すように、コイル２０は、ＧＦＣＩコンセント内のコンセント回路板１２上に設けられ、移動棒２１が可動するように挿着される筒部２００を有する。二つの磁性デバイス２２、２３は、筒部２００の両側の端部にそれぞれ設けられている。移動棒２１がコイル２０内で通電し、磁力が発生すると、コイル２０の発生する電流の方向により、移動棒２１が筒部２００内で左右に移動するように制御される（図４および図５参照）。本実施形態において、二つの磁性デバイス２２、２３は、磁座２２０、磁性デバイス固定部２３０によりそれぞれコンセント回路板１２の回路板１２０上に固定され、コイル２０は、回路板１２０うえの相対的な位置に固設されている。
【００１１】
図６および図７を参照する。図６は、第２図の中央部の断面図である。図７は、第４図の動作状態を示す第１の断面図である。図６および図７に示すように、移動棒２１は、第２の導接部２５２と相対する第１の導接部２５１に連接している。第１の導接部２５１が第２の導接部２５２に接触する（図６参照）と、ＧＦＣＩコンセントが電気を供給することができる。反対に、接触していない（図７参照）場合、電気を供給することができない。移動棒２１が筒部２００内で右方向または左方向への移動を行なうと、移動棒２１の移動により第１の導接部２５１が連動し、第２の導接部２５２との距離が変化して接触または離脱作用が起きる。本実施形態において、移動棒２１は、第１の導接部２５１に嵌合して連接する環状溝２１０を一方の端部に設けている。
【００１２】
ＧＦＣＩコンセントが漏電などで誤接続された場合、コンセント回路板１２がコイル２０に対して相反する方向に瞬間電流を供給して移動棒２１と磁性デバイス２３とに抵抗作用を与え、移動棒２１をもう一つの磁性デバイス２３側へ移動させ、発生した吸引力により第１の導接部２５１を第２の導接部２５２から離脱させ、電気を遮断する。これにより、回路誤接続反起動作用が生じる。
【００１３】
本実施形態は、第１の導接部２５１と第２の導接部２５２とが遮電した後、再び接触して給電させるリセットボタン２４をさらに設けている。リセットボタン２４は、ＧＦＣＩコンセント上に設けられ、下端がリセット棒２４０に連接している。リセット棒２４０は、大きめの第１の外径部２４１および小さめの第２の外径部２４２を有する。第２の外径部２４２は、第１の外径部２４１の上方に位置し、嵌合孔２５０を有する位置決め片２５上に可動するように嵌設されている。リセット棒２４０は、末端がコンセント回路板１２の回路板１２０のスイッチ１２１に接触している。スイッチ１２１は、コンセント回路板１２がコイル２０に順電流を提供するのを許容することができる。位置決め片２５は、磁性デバイス２３に隣接し、第１の導接部２５１に連接し、リセットボタン２４が押されるかどうかにより、リセット棒２４０の第１の外径部２４１または第２の外径部２４２の外に位置する。移動棒２１が筒部２００内で右方向または左方向に移動すると、位置決め片２５も第１の導接部２５１とともに連動して移動を行なう。これにより、リセットボタン２４の戻りを制限することができる。本実施形態において、リセットボタン２４は、弾性デバイス２４３を貫通してカバ1上のプレート１３に挿着されている。リセット棒２４０は、コンセント上蓋１０内に挿入され、底端がコンセント回路板１２の回路板１２０に接近し（図６参照）、位置決め片２５は回路板１２０上の磁性デバイス２３の外側に設けられている。
【００１４】
図７〜９を参照する。図８は、第４図の動作状態を示す第２の断面図である。図９は、第４図の動作状態を示す第３の断面図である。図７〜９に示すように、遮電されたＧＦＣＩコンセントを再起動するには以下の方法を用いる。リセットボタン２４を押してスイッチ１２１に接触させると、コンセント回路板１２がコイル２０に順電流を提供し、移動棒２１が磁性デバイス２３に対して抵抗作用を起こし、磁性デバイス２２に向かって移動し、磁性デバイス２２に吸引固定されることにより、第１の導接部２５１および第２の導接部２５２が再び接触する。押し付けられているリセットボタン２４が放されると、弾性デバイス２４３の弾性作用により、リセット棒２４０がスイッチ１２１から離脱する。この際、図８に示すように、リセットボタン２４が押された後、外径が小さめの第２の外径部２４２が嵌合孔２５０内に位置し、位置決め片２５が移動棒２１の移動にともない嵌合孔２５０に第２の外径部２４２を嵌合させる。そのため、リセットボタン２４が戻ろうとすると、第１の外径部２４１が嵌合孔２５０に押させられ、戻ることができない（図９参照）。これにより、ＧＦＣＩコンセントが給電状態であり、正常に稼動していることがわかる。
【００１５】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１６】
１  カバ
２  反起動装置
１０  コンセント上蓋
１１  コンセント台座
１２  コンセント回路板
１３  プレート
２０  コイル
２１  移動棒
２２  磁性デバイス
２３  磁性デバイス
２４  リセットボタン
２５  位置決め片
１２０  回路板
１２１  スイッチ
２００  筒部
２１０  環状溝
２２０  磁座
２３０  磁性デバイス固定部
２４０  リセット棒
２４１  第１の外径部
２４２  第２の外径部
２４３  弾性デバイス
２５０  嵌合孔
２５１  第１の導接部
２５２  第２の導接部
【図１】
0003168580.tif 000003
【図２】
0003168580.tif 000004
【図３】
0003168580.tif 000005
【図４】
0003168580.tif 000006
【図５】
0003168580.tif 000007
【図６】
0003168580.tif 000008
【図７】
0003168580.tif 000009
【図８】
0003168580.tif 000010
【図９】
0003168580.tif 000011